(57)【要約】【課題】  画像生成素子等で発生した熱を効率的に放熱しつつ、ヘッドマウントディスプレイの筐体の頭部側の温度上昇を抑制したヘッドマウントディスプレイ用の画像投射光学モジュールを提供する。【解決手段】  画像生成素子と画像表示部を備え、前記画像生成素子の画像を前記画像表示部に表示する画像投射光学モジュールにおいて、前記画像生成素子に熱的に接続する連結部材を備え、画像投射光学モジュールを備えるヘッドマウントディスプレイの使用者がヘッドマウントディスプレイの筐体を装着した状態における使用者の視線の方向を前方としたときに、前記連結部材の前部に熱を放熱する前部放熱部を備えた構成とする。【選択図】  図２
2020036260.tif 000002
【特許請求の範囲】
【請求項１】
画像生成素子と画像表示部を備え、前記画像生成素子の画像を前記画像表示部に表示する画像投射光学モジュールにおいて、
前記画像生成素子に熱的に接続する連結部材を備え、
画像投射光学モジュールを備えるヘッドマウントディスプレイの使用者がヘッドマウントディスプレイの筐体を装着した状態における使用者の視線の方向を前方としたときに、前記連結部材の前部に熱を放熱する前部放熱部を備えたことを特徴とする画像投射光学モジュール。
【請求項２】
請求項１に記載の画像投射光学モジュールにおいて、
前記連結部材の前部放熱部が、画像投射光学モジュールを備えるヘッドマウントディスプレイの前記筐体の前部の内面に熱的に接続することを特徴とする画像投射光学モジュール。
【請求項３】
請求項１に記載の画像投射光学モジュールにおいて、更に、
ヘッドマウントディスプレイの使用者が筐体を装着した状態における使用者の頭頂部側を上方としたときに、前記連結部材の上部に熱を放熱する上部放熱部を備えたことを特徴とする画像投射光学モジュール。
【請求項４】
請求項１に記載の画像投射光学モジュールにおいて、
前記連結部材の前部放熱部が前記画像表示部よりも前方に配置されることを特徴とする画像投射光学モジュール。
【請求項５】
請求項１に記載の画像投射光学モジュールにおいて、
前記連結部材に前記画像表示部を挿入する開口部を備えたことを特徴とする画像投射光学モジュール。
【請求項６】
請求項３に記載の画像投射光学モジュールにおいて、
前記連結部材の前部放熱部が、ヘッドマウントディスプレイの前記筐体の前部の内面に熱的に接続し、
前記連結部材の上部放熱部が、ヘッドマウントディスプレイの前記筐体の上部の内面に熱的に接続することを特徴とする画像投射光学モジュール。
【請求項７】
請求項６に記載の画像投射光学モジュールにおいて、
前記連結部材の前部放熱部の、前記筐体の前部の内面に熱的に接続する面積が、前記連結部材の上部放熱部の、前記筐体の上部の内面に熱的に接続する面積よりも大きいことを特徴とする画像投射光学モジュール。
【請求項８】
請求項１に記載の画像投射光学モジュールにおいて、
前記連結部材に前記画像表示部を挿入する開口部を備え、前記連結部材と前記画像表示部との間に、前記連結部材よりも熱伝導率の小さい断熱部材を備えたことを特徴とする画像投射光学モジュール。
【請求項９】
請求項１に記載の画像投射光学モジュールにおいて、
前記連結部材の前部放熱部が、ヘッドマウントディスプレイの筐体の開口部から前方に突出していることを特徴とする画像投射光学モジュール。
【請求項１０】
請求項３に記載の画像投射光学モジュールにおいて、
前記連結部材の前部放熱部が、ヘッドマウントディスプレイの筐体の開口部から前方に突出しており、
前記連結部材の上部放熱部が、ヘッドマウントディスプレイの筐体の開口部から上方に突出していることを特徴とする画像投射光学モジュール。
【請求項１１】
請求項１０に記載の画像投射光学モジュールにおいて、
前記前部放熱部の前方および前記上部放熱部の上方にフィン形状を備えることを特徴とする画像投射光学モジュール。
【請求項１２】
請求項１に記載の画像投射光学モジュールにおいて、
それぞれ前記画像生成素子を収容する左右の光学筐体を備え、
前記連結部材は、前記左右の光学筐体を連結するものであることを特徴とする画像投射光学モジュール。
【請求項１３】
請求項１に記載の画像投射光学モジュールにおいて、更に、
前記画像生成素子に光を照射する光源を備え、
前記光源は、前記連結部材に熱的に接続されていることを特徴とする画像投射光学モジュール。
【請求項１４】
請求項１に記載の画像投射光学モジュールにおいて、
前記画像生成素子は、液晶パネルまたは有機ＥＬパネルであることを特徴とする画像投射光学モジュール。
【請求項１５】
請求項１〜１４の何れか１項に記載の画像投射光学モジュールを備えるヘッドマウントディスプレイ。
【発明の詳細な説明】
【技術分野】
【０００１】
本発明は、ヘッドマウントディスプレイに用いられる画像投射光学モジュール、およびヘッドマウントディスプレイに関する。
【背景技術】
【０００２】
使用者の頭部に装着した状態で、文字や映像等の情報を表示する装置として、ヘッドマウントディスプレイが知られている。ヘッドマウントディスプレイは、光源と画像生成素子と画像表示部を含む画像投射光学モジュールと、制御回路と電池、およびこれらを収納する筐体等で構成される。表示する画像の高精細化と高輝度化、および外部と通信する情報量の増加に伴って、装置の発熱量は増加する傾向にあり、発熱量の増加による装置の温度上昇を抑えることが求められる。
【０００３】
本技術分野の背景技術として、特開２０１６−３９５２０号公報（特許文献１）には、表示パネルがパネルフレームに支持され、パネルフレームの上板部が熱伝導性接着剤を介してツル部の下面に接着されることで、表示パネルで発生した熱がパネルフレームを介してツル部に伝導し、外部に放出されることが記載されている。(請求項６参照)
【先行技術文献】
【特許文献】
【０００４】
【特許文献１】特開２０１６−３９５２０号公報
【発明の概要】
【発明が解決しようとする課題】
【０００５】
ヘッドマウントディスプレイは頭部に装着されるため、光源や画像生成素子からの発熱を効率的に外部に放熱することに加えて、頭部と接触あるいは近接する筐体の温度上昇を抑制することが求められる。特に、ヘッドマウントディスプレイの筐体の頭部側は使用中に常時、頭部と接触あるいは近接しているので、温度上昇による人体への影響が大きい。一方、ヘッドマウントディスプレイの筐体の外表面側は、手で触ることはあるものの、その時間は限定的であり、頭部側と比較すると温度上昇はある程度許容される。したがって、光源や画像生成素子からの放熱性を高めるとともに、ヘッドマウントディスプレイの筐体の頭部側の温度上昇を抑制することが重要である。
【０００６】
上記の特許文献１では、表示パネルで発生した熱をツル部に伝導することで表示パネルの温度は下げられるものの、頭部と接触するツル部の温度上昇の抑制については考慮されていない。
【０００７】
本発明の目的は、画像生成素子等で発生した熱を効率的に放熱しつつ、ヘッドマウントディスプレイの筐体の頭部側の温度上昇を抑制したヘッドマウントディスプレイ用の画像投射光学モジュールを提供することである。
【課題を解決するための手段】
【０００８】
上記目的を達成するための本発明の「画像投射光学モジュール」の一例を挙げるならば、
画像生成素子と画像表示部を備え、前記画像生成素子の画像を前記画像表示部に表示する画像投射光学モジュールにおいて、前記画像生成素子に熱的に接続する連結部材を備え、画像投射光学モジュールを備えるヘッドマウントディスプレイの使用者がヘッドマウントディスプレイの筐体を装着した状態における使用者の視線の方向を前方としたときに、前記連結部材の前部に熱を放熱する前部放熱部を備えた構成とするものである。
【発明の効果】
【０００９】
本発明によれば、画像投射光学モジュールの画像生成素子等で発生する熱を、ヘッドマウントディスプレイの筐体の前部に放熱することで、ヘッドマウントディスプレイの筐体の頭部側に伝わる熱を低減でき、ヘッドマウントディスプレイの筐体の頭部側の温度上昇を抑制したヘッドマウントディスプレイ用の画像投射光学モジュールを提供できる。
【図面の簡単な説明】
【００１０】
【図１】本発明の実施例１に係る画像投射光学モジュールを用いたヘッドマウントディスプレイの外観を示す斜視図である。
【図２】本発明の実施例１に係る画像投射光学モジュールの斜視図である。
【図３】本発明の実施例１に係る画像投射光学モジュールの分解斜視図である。
【図４】本発明の実施例１に係る画像投射光学モジュールにおける光路の説明図である。
【図５】本発明の実施例１に係る画像投射光学モジュールとそれを用いたヘッドマウントディスプレイの断面図である。
【図６】従来例における画像投射光学モジュールとそれを用いたヘッドマウントディスプレイの断面図である。
【図７】本発明の実施例２に係る画像投射光学モジュールとそれを用いたヘッドマウントディスプレイの断面図である。
【図８】本発明の実施例３に係る画像投射光学モジュールとそれを用いたヘッドマウントディスプレイの断面図である。
【図９】本発明の実施例４に係る画像投射光学モジュールとそれを用いたヘッドマウントディスプレイの断面図である。
【図１０】本発明の実施例５に係る画像投射光学モジュールの斜視図である。
【図１１】本発明の実施例５に係る画像投射光学モジュールとそれを用いたヘッドマウントディスプレイの断面図である。
【図１２】本発明の実施例５に係る画像投射光学モジュールにおける放熱部の別形状を示す図である。
【発明を実施するための形態】
【００１１】
以下、図面を用いて本発明の実施例を説明する。なお、実施例を説明するための各図において、同一の構成要素にはなるべく同一の名称、符号を付して、その繰り返しの説明を省略する。
【実施例１】
【００１２】
図１は、本発明の実施例１に係る画像投射光学モジュールを用いたヘッドマウントディスプレイ１の外観を示す斜視図である。ヘッドマウントディスプレイ１は、後述する画像投射光学モジュールを内部に備える筐体２、ヘッドマウントディスプレイ１の使用者の頭部に装着される頭部装着部３、使用者の目の前方を覆う前面シールド４で構成される。筐体２や頭部装着部３の内部には、図示しない制御回路や電池が収納される。なお、使用者がヘッドマウントディスプレイ１を装着した状態で、使用者の頭頂部側を上方、使用者の視線の方向を前方、その反対側の後方を頭部側とする。
【００１３】
図２はヘッドマウントディスプレイ１の筐体２に備えられる画像投射光学モジュール１０の斜視図、図３は画像投射光学モジュール１０の分解斜視図である。本実施例では、左右の両眼に対してそれぞれ画像を表示する構成を示しており、後述する光学筐体や画像表示部等は左右それぞれに存在する。画像投射光学モジュール１０は、光学筐体１１Ｌ、１１Ｒ、画像表示部１２Ｌ、１２Ｒ、固定部材１３Ｌ、１３Ｒ、左右の光学筐体１１Ｌ、１１Ｒを連結する連結部材１４で構成される。
【００１４】
光学筐体１１Ｌ、１１Ｒにはそれぞれ、二つの光源２１Ｌ、２２Ｌ、２１Ｒ、２２Ｒと、画像生成素子２３Ｌ、２３Ｒ、および図示しないレンズやプリズム等の光学部品が備えられる。
【００１５】
固定部材１３Ｌ、１３Ｒは、光源２１Ｌ、２２Ｌ、２１Ｒ、２２Ｒと画像生成素子２３Ｌ、２３Ｒで発生した熱を連結部材１４に伝導する部材であり、連結部材１４の端部と接触している。
【００１６】
連結部材１４は、光源２１Ｌ、２２Ｌ、２１Ｒ、２２Ｒと画像生成素子２３Ｌ、２３Ｒから伝わった熱をヘッドマウントディスプレイ１の筐体２に伝える箇所として、連結部材１４の上部に上部放熱部１４Ｕ、前部に前部放熱部１４Ｆを備える。また、連結部材１４は開口部１５Ｌ、１５Ｒを備えており、この開口部１５Ｌ、１５Ｒに画像表示部１２Ｌ、１２Ｒの上端部を挿入した状態で、画像表示部１２Ｌ、１２Ｒが光学筐体１１Ｌ、１１Ｒに取り付けられる。連結部材１４の前部放熱部１４Ｆは開口部１５Ｌ、１５Ｒよりも前方に位置するので、連結部材１４の前部放熱部１４Ｆは画像表示部１２Ｌ、１２Ｒよりも前方に備えられる。
【００１７】
図４は、画像投射光学モジュール１０における光源から画像表示部への光路を説明する図である。なお、図４では左右の構成のうち、左側部分を示しているが、右側についても同様である。光源２１Ｌ、２２Ｌから発せられた光は、光学筐体１１Ｌに備えられた図示しないレンズやプリズム等を経由して画像生成素子２３Ｌに導かれる。画像生成素子２３Ｌで画像情報が付与された光は、光学筐体１１Ｌ内を通過し、図示しないプリズム等を経由して画像表示部１２Ｌに入射する。画像表示部１２Ｌは、光を画像表示部の面内に取り込む回折格子と、面内を導光させる導波路と、使用者の目の方向に光を出射する回折格子を備えている。以上によって、画像情報が使用者に表示される。
【００１８】
なお、光源としては例えば発光ダイオードが用いられ、画像生成素子としては例えば液晶パネルが用いられる。光源２１Ｌ、２２Ｌは熱伝導部材２４を介して固定部材１３Ｌに接続しており、画像生成素子２３Ｌは熱伝導部材２５を介して固定部材１３Ｌに接続している。したがって、光源２１Ｌ、２２Ｌと画像生成素子２３Ｌは、熱伝導部材２４、２５および固定部材１３Ｌを介して連結部材１４に熱的に接続している。
【００１９】
図５は、図１におけるＡ−Ａ断面図であり、画像投射光学モジュール１０の連結部材１４とヘッドマウントディスプレイ１の筐体２との接続状態を説明する図である。なお、図５では左右の構成のうち、左側部分を示しているが、右側についても同様である。
【００２０】
連結部材１４の上部放熱部１４Ｕは、ヘッドマウントディスプレイ１の筐体２の上部の内面２Ｕに、熱伝導部材２６を介して熱的に接続しており、連結部材１４の前部放熱部１４Ｆは、ヘッドマウントディスプレイ１の筐体２の前部の内面２Ｆに、熱伝導部材２７を介して熱的に接続している。
【００２１】
以上の構成によって、画像投射光学モジュール１０の光源２１Ｌ、２２Ｌ、２１Ｒ、２２Ｒと画像生成素子２３Ｌ、２３Ｒで発生した熱は、固定部材１３Ｌ、１３Ｒと連結部材１４を経由して、ヘッドマウントディスプレイ１の筐体２の上部と前部に効率的に伝えられ、外部に放熱される。なお、固定部材１３Ｌ、１３Ｒと連結部材１４は一体に構成してもよい。
【００２２】
比較として、従来例における画像投射光学モジュールの連結部材１４とヘッドマウントディスプレイの筐体２との接続状態を、図６に示す。従来例においては、連結部材１４の前部放熱部が存在せず、連結部材１４の上部放熱部１４Ｕが熱伝導部材２６を介して筐体２の上部の内面２Ｕに接続している。この場合、光源と画像生成素子から固定部材と連結部材を経由して伝わった熱は、ヘッドマウントディスプレイの筐体２の上部に集中して伝わることになる。これによって、ヘッドマウントディスプレイの筐体２の上部の温度上昇が著しくなるのみならず、ヘッドマウントディスプレイの筐体２の上部に隣接する頭部側２Ｈへの伝熱経路が短いので、ヘッドマウントディスプレイの筐体２の頭部側２Ｈの温度上昇を引き起こす。
【００２３】
一方、本実施例では、連結部材１４からヘッドマウントディスプレイ１の筐体２への伝熱経路として、上部放熱部１４Ｕからヘッドマウントディスプレイ１の筐体２の上部の内面２Ｕに伝わる経路に加えて、前部放熱部１４Ｆからヘッドマウントディスプレイ１の筐体２の前部の内面２Ｆに伝わる経路を設けることによって、ヘッドマウントディスプレイ１の筐体２の頭部側２Ｈに伝わる熱を低減でき、ヘッドマウントディスプレイ１の筐体２の頭部側２Ｈの温度上昇を抑制することができる。
【００２４】
以上示したように本実施例によれば、画像投射光学モジュールの光源と画像生成素子に熱的に接続する連結部材を備え、連結部材の前部と上部が、ヘッドマウントディスプレイの筐体の前部の内面と上部の内面に熱的に接続することで、ヘッドマウントディスプレイの筐体の頭部側の温度上昇を抑制したヘッドマウントディスプレイ用の画像投射光学モジュールを実現できる。
【実施例２】
【００２５】
次に、本発明の実施例２に係る画像投射光学モジュールを説明する。
【００２６】
図７は、図５と同様の断面図であり、画像投射光学モジュールの連結部材１４とヘッドマウントディスプレイの筐体２との接続状態を説明する図である。なお、図７では左右の構成のうち、左側部分を示しているが、右側についても同様である。
【００２７】
本実施例では、連結部材１４の上部放熱部１４Ｕとヘッドマウントディスプレイの筐体２の上部の内面２Ｕを接続する熱伝導部材を備えておらず、連結部材１４の前部放熱部１４Ｆが、ヘッドマウントディスプレイの筐体２の前部の内面２Ｆに熱伝導部材２７を介して熱的に接続しているのみである。他の構成は実施例１と同じである。
【００２８】
本実施例では、画像投射光学モジュールの光源と画像生成素子で発生した熱は、固定部材と連結部材１４の前部放熱部１４Ｆを経由して、ヘッドマウントディスプレイの筐体２の前部の内面２Ｆに伝えられ、外部に放熱される。連結部材１４からヘッドマウントディスプレイの筐体２への放熱経路が前部だけに限られるため、実施例１と比較すると、光源と画像生成素子の温度は上昇する。一方で、ヘッドマウントディスプレイの筐体２の前部のみに熱が伝わるため、ヘッドマウントディスプレイの筐体２の前部から離れた頭部側２Ｈの温度上昇をより一層抑制することができる。また、連結部材１４の上部放熱部１４Ｕとヘッドマウントディスプレイの筐体２の上部の内面２Ｕを接続する熱伝導部材を備えないので、コスト低減効果がある。
【００２９】
以上から、光源と画像生成素子の温度上昇が許容される範囲であれば、画像投射光学モジュールの連結部材１４とヘッドマウントディスプレイの筐体２を熱的に接続する箇所を、連結部材１４の前部放熱部１４Ｆとヘッドマウントディスプレイの筐体２の前部の内面２Ｆだけにすることで、ヘッドマウントディスプレイの筐体２の頭部側２Ｈの温度上昇を顕著に抑制することができる。
【実施例３】
【００３０】
次に、本発明の実施例３に係る画像投射光学モジュールを説明する。
【００３１】
図８は、図５と同様の断面図であり、画像投射光学モジュールの連結部材１４とヘッドマウントディスプレイの筐体２との接続状態を説明する図である。なお、図８では左右の構成のうち、左側部分を示しているが、右側についても同様である。
【００３２】
本実施例では、連結部材１４の前部放熱部１４Ｆの、ヘッドマウントディスプレイの筐体２の前部の内面２Ｆに熱伝導部材２７を介して接続する面積が、連結部材１４の上部放熱部１４Ｕの、ヘッドマウントディスプレイの筐体２の上部の内面２Ｕに熱伝導部材２６を介して接続する面積よりも大きくなるように構成する。他の構成は実施例１と同じである。これによって、ヘッドマウントディスプレイの筐体２の前部の内面２Ｆに伝わる熱を、ヘッドマウントディスプレイの筐体２の上部の内面２Ｕに伝わる熱よりも多くすることができる。
【００３３】
本実施例では、連結部材１４の上部放熱部１４Ｕからヘッドマウントディスプレイの筐体２の上部の内面２Ｕに伝わる熱は実施例１より少なく、実施例２より多い。したがって、光源と画像生成素子の温度上昇を抑制する効果を有しつつ、ヘッドマウントディスプレイの筐体２の頭部側２Ｈの温度上昇を抑制する効果を高めることができる。
【実施例４】
【００３４】
次に、本発明の実施例４に係る画像投射光学モジュールを説明する。
【００３５】
図９は、図５と同様の断面図であり、画像投射光学モジュールの連結部材１４とヘッドマウントディスプレイの筐体２との接続状態、および画像表示部１２Ｌと光学筐体１１Ｌ、連結部材１４との接続状態を説明する図である。なお、図９では左右の構成のうち、左側部分を示しているが、右側についても同様である。
【００３６】
本実施例では、連結部材１４の開口部１５Ｌに画像表示部１２Ｌが挿入された状態で、連結部材１４の前部放熱部１４Ｆと画像表示部１２Ｌとの間、および上部放熱部１４Ｕと画像表示部１２Ｌとの間に、連結部材１４よりも熱伝導率の小さい断熱部材２８を備えている。また、光学筐体１１Ｌと画像表示部１２Ｌとの間に断熱部材２８を備えている。他の構成は実施例１と同じである。
【００３７】
画像表示部１２Ｌは回折格子を備えており、熱変形によって回折格子ピッチが変化すると、表示画像の乱れにつがなる。本実施例では、光学筐体１１Ｌおよび連結部材１４と画像表示部１２Ｌとの間に断熱部材２８を備えることで、光学筐体１１Ｌおよび連結部材１４から画像表示部１２Ｌに伝わる熱が減少するので、画像表示部１２Ｌの温度上昇を抑制でき、表示画像の乱れを低減することができる。
【実施例５】
【００３８】
次に、本発明の実施例５に係る画像投射光学モジュールを説明する。
【００３９】
図１０は、画像投射光学モジュール１１０の斜視図である。本実施例では、連結部材１１４の前部放熱部１１４ＦＬ、１１４ＦＲが前方に突出しており、連結部材１１４の上部放熱部１１４ＵＬ、１１４ＵＲが上方に突出している。
【００４０】
図１１は、図５と同様の断面図であり、画像投射光学モジュール１１０の連結部材１１４とヘッドマウントディスプレイの筐体１０２との接続状態を説明する図である。なお、図１１では左右の構成のうち、左側部分を示しているが、右側についても同様である。
【００４１】
ヘッドマウントディスプレイの筐体１０２の前部１０２Ｆには開口部１０５Ｌを備え、ヘッドマウントディスプレイの筐体１０２の上部１０２Ｕには開口部１０６Ｌを備える。画像投射光学モジュール１１０の連結部材１１４の前部放熱部１１４ＦＬは、ヘッドマウントディスプレイの筐体１０２の前部の開口部１０５Ｌによって外部に露出しており、画像投射光学モジュール１１０の連結部材１１４の上部放熱部１１４ＵＬは、ヘッドマウントディスプレイの筐体１０２の上部の開口部１０６Ｌによって外部に露出している。
【００４２】
なお、図１１ではヘッドマウントディスプレイの筐体１０２の開口部１０５Ｌおよび１０６Ｌが、画像投射光学モジュール１１０の連結部材１１４の前部放熱部１１４ＦＬおよび上部放熱部１１４ＵＬの全領域に対して開放している例を示したが、ヘッドマウントディスプレイの筐体１０２の開口部１０５Ｌ、１０６Ｌはメッシュ状のように一部だけが開放している形状でもかまわない。
【００４３】
また、画像投射光学モジュール１１０の連結部材１１４の前部放熱部および上部放熱部は、図１２に示すようにフィン形状の前部放熱部１１４ＦＬ’、１１４ＦＲ’および上部放熱部１１４ＵＬ’、１１４ＵＲ’としてもかまわない。このようにフィン形状とすることで、外部への放熱効果をより高めることができる。
【００４４】
以上によって、光源と画像生成素子から伝わった熱は、画像投射光学モジュール１１０の連結部材１１４から外部に直接放熱されるため、ヘッドマウントディスプレイの筐体１０２に伝わる熱を低減することができる。したがって、ヘッドマウントディスプレイの筐体１０２の頭部側１０２Ｈの温度上昇を抑制することができる。
【００４５】
上記各実施例では、画像生成素子として液晶パネルを例に説明したが、画像生成素子２３Ｌ，２３Ｒとしては自発光素子である有機ＥＬパネルなどを用いることもできる。自発光素子である有機ＥＬパネルでは光源２１Ｌ，２１Ｒ，２２Ｌ，２２Ｒが不要となる。
【００４６】
なお、本発明は上記の実施例に限定されるものではなく、様々な変形例を含む。例えば、上記の実施例は本発明をわかりやすくするために詳細に説明したものであり、本発明は必ずしも説明したすべての構成を備える態様に限定されるものではない。また、ある実施例の構成の一部を他の実施例の構成に置き換えることが可能である。また、ある実施例の構成に他の実施例の構成を加えることも可能である。また、各実施例の構成の一部について、他の実施例の構成を追加・削除・置換することが可能である。
【符号の説明】
【００４７】
１…ヘッドマウントディスプレイ、２…筐体、２Ｆ…筐体の前部の内面、２Ｕ…筐体の上部の内面、２Ｈ…筐体の頭部側、３…頭部装着部、４…前面シールド、１０…画像投射光学モジュール、１１Ｌ，１１Ｒ…光学筐体、１２Ｌ，１２Ｒ…画像表示部、１３Ｌ，１３Ｒ…固定部材、１４…連結部材、１４Ｆ…連結部材の前部放熱部、１４Ｕ…連結部材の上部放熱部、１５Ｌ，１５Ｒ…開口部、２１Ｌ，２１Ｒ，２２Ｌ，２２Ｒ…光源、２３Ｌ，２３Ｒ…画像生成素子、２４，２５，２６，２７…熱伝導部材、２８…断熱部材、１０２…筐体、１０２Ｆ…筐体の前部、１０２Ｕ…筐体の上部、１０２Ｈ…筐体の頭部側、１０５Ｌ…筐体の前部の開口部、１０６Ｌ…筐体の上部の開口部、１１０…画像投射光学モジュール、１１４…連結部材、１１４ＦＬ，１１４ＦＲ…連結部材の前部放熱部、１１４ＵＬ，１１４ＵＲ…連結部材の上部放熱部。
【図１】
2020036260.tif 000003
【図２】
2020036260.tif 000004
【図３】
2020036260.tif 000005
【図４】
2020036260.tif 000006
【図５】
2020036260.tif 000007
【図６】
2020036260.tif 000008
【図７】
2020036260.tif 000009
【図８】
2020036260.tif 000010
【図９】
2020036260.tif 000011
【図１０】
2020036260.tif 000012
【図１１】
2020036260.tif 000013
【図１２】
2020036260.tif 000014